(57)【要約】【課題】  従来、庭や花壇等を掃き掃除する時は、ゴミと一緒に砂利や小石、土などが混じったまま塵取りの中に取り込まれてしまい、分別が厄介であった。分別を楽に簡単にでき、排出も楽にできて、内部が乾き易く、持ち運び移動も便利な分別ちりとりを提供する。【手段】  普通の塵取りの底板部分を底抜けにし、底板と網底の自在な取替え式の基本構造に形成し、取り込んだゴミの排出を、底をスライド開閉して下に落とすようにし、持ち手に底材を収納し置く収納フックとポリ袋の一端を掛け止めて、塵取り本体の底側を被いながら中のごみをきれいに移し入れる作業まで、全て一人で簡単に始末でき、塵取り自体の掃除も底材を抜き外して、前方底面を全開口状態で隅々まできれいに洗浄でき、乾き易く、永く衛生的に使える分別ちりとり。【選択図】図１
2014171853.tif 000002
【特許請求の範囲】
【請求項１】
箱型で四方側面の前方一面を開口して塵取り込み口となす従来様の塵取りを想定したとき、塵を収容する本体の固定的な板底をなくして抜け底の形に形成し、底板と底網を自由に入替え式に利用出来る基本構造として形成されるが、本体両側面の下辺縁を略コの字状に・コの字の開口部が相向かい合う形で形設し、底板及び底網の底材挿入溝となし、底板及び底網の大きさは、幅が、対向する底材挿入溝相互の間隔に相応し、長さが、本体前方端の塵取り込み口から底材挿入溝をスライドして本体背面に突き当たる奥行きの深さに相応し、この底板及び底網の前方端を成す一辺には、底材挿入溝に最奥まで挿入された時に、塵取り込み口に段差がつかないように、前方へ低く・薄く傾斜していく先端部材を付設するのであり、また、底網は目的によって使い分ける２種類の替え網、即ち網目の大きさの異なる大網目底網と小網目底網を用意するのであるが、本体背面壁の中央部には、そこに下端を固定されつつ上方へ数十ｃｍ立ち上がった持ち手後片が設置され、本体両側面壁の真ん中よりやや前方寄りの位置には、そこに下端を固定されつつ本体の天板を跨ぐ略アーチ状に上方へ数十ｃｍ立ち上がった持ち手前片が設置され、両者は持ち手前片の中間地点で交差接合されるのであって、本体の両側面壁から立ち上がっている左右の持ち手前片には、それぞれ上下に２箇所・計４箇所に、底材の幅に相応する間隔で、左右対称・上下対向のカギフック・即ち収納フックが付設され、持ち手後片の下部の一箇所には上向きのカギフック・即ち掛けとめフックが付設されたことを特徴とする分別ちりとり。
【発明の詳細な説明】
【技術分野】
【０００１】  本発明は、砂利や小石が敷いてある場所や、花壇の中を掃除する時に用いる塵取りである。
【背景技術】
【０００２】  従来、掃き掃除に用いる塵取りは、ゴミを収容する空間の上下左右背面を閉じ、前方の一方向にのみ開口したゴミ取り込み口を有するというのが一般的な基本構造であった。通常の塵取りと網底塵取りを二段重ねにセットして使い分ける先行技術も知られている（特許文献１参照）。
【先行技術文献】
【０００３】
【特許文献１】  実開平６−３８８５６号  公報
【発明の概要】
【発明が解決しようとしている課題】
【０００４】  砂利や小石が敷いてある庭や花壇など、身近な場所を掃除する時、塵取りに掃き入れるゴミと一緒に砂利や小石、土等が入ってきてしまい、ふるいにかけたり、ひとつひとつ手で分別したり、非常に厄介な手間がかかった。また、塵取りの中に掃き入れた落ち葉や雑草が濡れていたら、塵取りの底板にへばりついてしまい、掻き出すのも簡単ではなかった。ゴミを取り込む前方開口部以外は上下左右背面全て閉ざされているため、一端ぬれた内部は非常に乾きにくく、不衛生でもあった。参照文献に挙げた先行技術は、ゴミの取り込みと分別の二つの目的を実現していると評価できるが、そのために重量も二つ分に増え、段重ねセット式も全体の構造を複雑にしてしまっており、掻き出しにくさや内部の乾きにくさ、また塵取りそのものの掃除のしにくさ等も、実際使用していく中では、見た目以上に不便さ、不衛生さを感じさせそうな不安を抱かせる。
本発明は、塵取りの既存構成に帰属するこうした諸問題を解決しようとするものであり、分別がスムーズにでき、中のゴミの排出が楽で、内部が乾き易く、持ち運び移動にも軽い塵取りの実現を目途するものである。
【課題を解決するための手段】
【０００５】  箱型で四方側面の前方一面を開口して塵取り込み口となす従来様の塵取りを想定したとき、塵を収容する本体の固定的な板底をなくして抜け底の形に形成し、底板と底網を自由に入替え式に利用出来る基本構造として形成されるが、本体両側面の下辺縁を略コの字状に・コの字の開口部が相向かい合う形で形設し、底板及び底網の底材挿入溝となす。底板及び底網の大きさは、幅が、対向する底材挿入溝相互の間隔に相応し、長さが、本体前方端の塵取り込み口から底材挿入溝をスライドして本体背面に突き当たる奥行きの深さに相応する。この底板及び底網の前方端を成す一辺には、底材挿入溝に最奥まで挿入された時に、塵取り込み口に段差がつかないように、前方へ低く・薄く傾斜していく先端部材を付設する。
また、底網は目的によって使い分ける２種類の替え網、即ち網目の大きさの異なる大網目底網と小網目底網を用意する。
本体背面壁の中央部には、そこに下端を固定されつつ上方へ数十ｃｍ立ち上がった持ち手後片が設置され、本体両側面壁の真ん中よりやや前方寄りの位置には、そこに下端を固定されつつ本体の天板を跨ぐ略アーチ状に上方へ数十ｃｍ立ち上がった持ち手前片が設置され、両者は持ち手前片の中間地点で交差接合される。
本体の両側面壁から立ち上がっている左右の持ち手前片には、それぞれ上下に２箇所・計４箇所に、底材の幅に相応する間隔で、左右対称・上下対向のカギフック・即ち収納フックが付設され、持ち手後片の下部の一箇所には上向きのカギフック・即ち掛けとめフックが付設される。
以上を特徴とする分別ちりとりである。
【発明の効果】
【０００６】  （イ）掃除する場所の特製に応じて、塵取りの底材を板及び大小網目の網とを簡単に差し替え式で使い分けできるので、ゴミの収容と分別が同時に簡単にできる。
（ロ）ゴミの排出を前方・塵取り込み口からだけでなく、底材をスライドさせて下に落とせるので、内部の奥に取り込まれたゴミも、手で掻き出したりせずとも、底板面の摩擦を受けることもなく、きれいさっぱり一気に排出できる。
（ハ）取り込んだゴミをレジ袋などに移し入れる作業も、持ち手後片下部の掛け止めフックに該袋の一端を掛け止めて、塵取り本体の背後から底一体に袋を被せて、底板または底網を前方へスライドさせればいいので、取り残しなくきれいに簡単に移し入れることができ、袋の外にこぼし散らしこともなく、一人で簡単に一連の作業を始末することができる。
（ニ）底板、底網については、使わない方の底材を持ち手前片の収納フックに止め置いて収納しておけばよいので、必要に応じて自在に即その場で簡単に差し替えて使い分けできるので便利である。
（ホ）ゴミを本体内に掃き入れる時も、底材それぞれの前方先端に先端部材が付設してあるので段差がなく、ゴミの取り残しの心配もない。
（ヘ）非使用時には、底板を嵌めたままなら、少しだけスライドさせておけば一番奥の方から底抜けになるし、また、底網を嵌めたままなら、底全面が開口しているのとほぼ同じなので乾きにくさは全く問題にならない。
（ト）たまには塵取り全体もきれいに掃除したいものだが、最も汚れたり濡れたりする底材自体が簡単に抜き外しできるので、全体満遍なくきれいに掃除でき、永く使っても衛生的に保存できる。
（チ）追加的な重量と言えば、せいぜい底網分くらいなものなので、持ち運び移動に際しても特別な不便さはない。
【図面の簡単な説明】
【０００７】
【図１】  本発明の斜視図
【図２】  本発明の側面図
【図３】  本発明の一部である底材の斜視図  （ａ）底板  ，（ｂ）小網目底網  ，（ｃ）大網目底網
【発明を実施するための形態】
【０００８】  以下、本発明の実施の形態を説明する。
箱型で四方側面の前方一面を開口して塵取り込み口（５）となす従来様の塵取りを想定したとき、塵を収容する本体（１）の固定的な板底をなくして抜け底の形に形成し、底板（２）と底網（３）を自由に入替え式に利用出来る基本構造として形成されるが、本体（１）両側面（１１）の下辺縁を略コの字状に・コの字の開口部が相向かい合う形で形設し、底板（２）及び底網（３）の底材挿入溝（４）となす。底板（２）及び底網（３）の大きさは、幅が、対向する底材挿入溝（４）相互の間隔に相応し、長さが、本体前方端の塵取り込み口（５）から底材挿入溝（４）をスライドして本体背面（６）に突き当たる奥行きの深さに相応する。この底板（２）及び底網（３）の前方端を成す一辺には、底材挿入溝（４）に最奥まで挿入された時に、塵取り込み口（５）に段差がつかないように、前方へ低く・薄く傾斜していく先端部材（７）を付設する。
また、底網（３）は目的によって使い分ける２種類の替え網、即ち網目の大きさの異なる大網目底網８）と小網目底網（９）を用意する。
本体背面（６）壁の中央部には、そこに下端を固定されつつ上方へ数十ｃｍ立ち上がった持ち手後片（１０）が設置され、本体（１）両側面（１１）壁の真ん中よりやや前方寄りの位置には、そこに下端を固定されつつ本体（１）の天板（１２）を跨ぐ略アーチ状に上方へ数十ｃｍ立ち上がった持ち手前片（１３）が設置され、両者は持ち手前片（１３）の中間地点で交差接合点（１４）を共有する。
本体（１）の両側面（１１）壁から立ち上がっている左右の持ち手前片（１３）には、それぞれ上下に２箇所・計４箇所に、底材の幅に相応する間隔で、左右対称・上下対向のカギフック・即ち収納フック（１５）が付設され、持ち手後片（１０）の下部の一箇所には上向きのカギフック・即ち掛け止めフック（１６）が付設される。
本発明は、以上のような構成であり、以下、これを実際に使用する時の形態を説明する。
通常の塵取り様に使用する時は、本体（１）の底材挿入溝（４）に底板（２）を塵取り込み口（５）側から挿入して最奥まで押し込みセットして、普通に箒でゴミを掃き入れ取り込む。その際に、使用していない底網（３）は持ち手前片（１３）に付設された収納フック（１５）に留め置いておく。
石ころや砂利の多い場所を掃く時は、底板（２）を大網目底網（８）に差し替え、底板（２）は収納フック（１５）に留め置いて、掃き掃除してゴミを取り込めば、石ころや砂利は網目から勝手に下に落ちて、落ち葉やゴミだけが塵取りに残る。
花壇のような土の多い場所を掃除する時は、小網目底網（９）に差し替えて使えば、塵取り内にとりこまれた土は自ずと網目から下に落ち、草花の葉や枯れ落ちた花等のゴミだけが残る。
塵取りに溜まったゴミを袋やバケツ等の他の容器に移し変える際は、塵取り込み口（５）まで滑らせて排出するよりも、使用している底材を前方にスライドさせれば、底が抜けてゴミは一気に該容器の中に落下してしまう。
ポリ袋に移す時も、持ち手後片（１０）の掛け止めフック（１６）に袋の取っ手の一端をチョンと掛け止めて、本体背面（６）から底一体にスッポリ袋を被せてから、底材を前方にスライドさせれば、ゴミは袋の外に一切こぼれることなく袋に移し入れられるので、他人の助けを借りることなく、一人で一連の作業を簡単に始末できる。
掃き集めて塵取り込み口（５）から掃き入れる時も、各底材の前方先端に先端部材（７）が付設してあるので、段差がなく、雑な取り残しの心配もない。
時々、塵取りそのもの全体をきれいに掃除したい時は、一番汚れがついている底板（２）や底網（３）を底材挿入溝（４）や収納フック（１５）から抜き取り外して、しっかり洗うことができ、前方と底全面が全開口した状態で、本体の全ての部分を隈なくきれいさっぱりと清潔に洗浄できる。
なお、本体前方の塵取り込み口（５）の開口の形状や持ち手の形状等は様々であってよく、それによって本発明の特徴や利点に支障をもたらすものではない。
【符号の説明】
【０００９】１  本体、  ２  底板、  ３  底網、  ４  底材挿入溝、  ５  塵取り込み口
６  本体背面、  ７  先端部材、  ８  大網目底網、  ９  小網目底網、
１０  持ち手後片、  １１  側面、  １２  天板、  １３  持ち手前片、
１４  交差接合点、  １５  収納フック、  １６  掛け止めフック
【図１】
2014171853.tif 000003
【図２】
2014171853.tif 000004
【手続補正書】
【提出日】平成25年4月30日(2013.4.30)
【手続補正１】
【補正対象書類名】明細書
【補正対象項目名】０００７
【補正方法】変更
【補正の内容】
【０００７】
【図１】  本発明の斜視図  （ａ）底板、（ｂ）小網目底板、（ｃ）大網目底板
【図２】  本発明の側面図